(57)【要約】  取付け用の部材や工具の使用を要することなくトラフを設置することができると共に、そのための作業がより容易であるトラフの支持構造を提供する。支持具（１）は、平板状でその平面が上下及び前後方向に拡がっている支持具本体（１０）と、支持具本体から後方に向かって突出していると共に、その基端に下方に開口した第一スリット（１５）を有している第一係止片（１１）と、支持具本体から第一係止片と直角をなす方向に突出していると共に、後方に開口した第二スリット（１６）を有している第二係止片（１２）と、支持具本体の上部において上方に開口している凹部（２０ａ）とを具備するものであり、凹部にはトラフ（５０ａ）の底部が挿入されており、支柱（６０）の孔部（６５）に第一係止片が挿入されて孔部の下縁部が第一スリットに挿入されていると共に、支柱の側壁（６１）の一方の前端部が第二スリットに挿入されている。
2020035891.tif 000002
【特許請求の範囲】
【請求項１】
上下方向に立設された支柱、該支柱から前方に突出するように前記支柱に取付けられた支持具、及び、該支持具に支持されたトラフを具備する支持構造であり、
前記支柱は、
対面している一対の側壁と、
一対の該側壁を同じ側で連結している後壁と、
該後壁に貫設された孔部と、を具備し、
前記支持具は、
平板状で、その平面が上下及び前後方向に拡がっている支持具本体と、
該支持具本体から後方に向かって突出していると共に、その基端に下方に開口した第一スリットを有している第一係止片と、
前記支持具本体から前記第一係止片と直角をなす方向に突出していると共に、後方に開口した第二スリットを有している第二係止片と、
前記支持具本体の上部において上方に開口している凹部と、を具備するものであり、
前記凹部に前記トラフの底部が挿入されており、
前記孔部に前記第一係止片が挿入されていると共に、前記孔部の下縁部が前記第一スリットに挿入されており、
一対の前記側壁の一方の前端部が前記第二スリットに挿入されている
ことを特徴とするトラフの支持構造。
【請求項２】
前記第二係止片に、前記トラフの底部が載置されている
ことを特徴とする請求項１に記載のトラフの支持構造。
【請求項３】
前記支持具は、
前記支持具本体における前記凹部より前方で、上方に向かって延出しているアーム部と、
該アーム部の上端から、前記支持具本体の平面と直角をなす方向に延出している上端片と、を更に具備し、
該上端片に、前記トラフの前縁部が引掛けられている
ことを特徴とする請求項１に記載のトラフの支持構造。
【請求項４】
前記支持具は、前記アーム部の側辺から前記支持具本体の平面と直角をなす方向に延出している側方片を更に具備し、
該側方片に、前記トラフの一部が載置されている
ことを特徴とする請求項３に記載のトラフの支持構造。
【請求項５】
平板状で、その平面が上下及び前後方向に拡がる向きで使用される支持具本体と、
該支持具本体から後方に向かって突出していると共に、その基端に下方に開口した第一スリットを有している第一係止片と、
前記支持具本体から前記第一係止片と直角をなす方向に突出していると共に、後方に開口した第二スリットを有している第二係止片と、
トラフの底部を挿入するための凹部であって、前記支持具本体の上部において上方に開口している凹部と
を具備することを特徴とするトラフの支持具。
【発明の詳細な説明】
【技術分野】
【０００１】
本発明は、養鶏施設においてケージ列に沿って配される給餌用のトラフを支持するための支持構造、及び、該支持構造に使用される支持具に関するものである。
【背景技術】
【０００２】
多数のケージで多数羽のトリを飼育する施設では、複数のケージが水平方向に並設されたケージ列が複数段に積層されている。各ケージ列に沿って、長いトラフが水平方向に配されており、その内部にトリの餌が供給される。一般的に、トラフを支持する支持具は、ケージを保持するフレームに取付けられており、隣接する支持具間にトラフが架け渡されている。【０００３】
従前より、フレームへの支持具の取付けや、支持具へのトラフの取付けは、ボルト及びナットによる締結やリベットの打ち込みよって行われることが多い。非常に多数のケージを備える大型施設では、このような取付け用の部材も膨大な数となる。そのため、部品点数が多くなり、管理が煩雑であると共にコストが嵩むという問題や、工具を用いた取付け作業に手間や時間がかかるという問題があった。【０００４】
そこで、本出願人は、図９（ａ）〜図９（ｃ）に示すように、取付け用の部材が不要であり、工具を使用することなくトラフを設置することができるトラフの支持具１００及び支持構造を提案し、実施している。支持具１００は、上下方向に立設された支柱６０から前方に突出するように、支柱６０に取付けられるものである。支柱６０は、対面している一対の側壁６１と、一対の側壁６１を同じ側で連結している後壁６２と、後壁６２に貫設された孔部とを具備している。孔部は、支持具１００一つ当たりに二つ設けられており、孔部６５と孔部６６が上下に離隔している。【０００５】
一方、支持具１００は、平板状で、その平面が上下及び前後方向に拡がる向きで使用される支持具本体１１０と、支持具本体１１０から後方に向かって突出していると共に、その基端に下方に開口したスリット１１５を有している係止片１１１と、係止片１１１の直下で、係止片１１１と同じ方向に突出している補助片１１９と、支持具本体１１０の上部において上方に開口している凹部１２０とを具備している。この凹部１２０は、トラフの底部の外形に沿う形状に形成されている。【０００６】
この支持具１００でトラフを支持する際、支柱６０は、後壁６２がケージの側面と平行となり、且つ、後壁６２がケージと近接する向きで、設置面から立設させる。そして、支柱６０における上方の孔部６５に支持具１００の係止片１１１を挿入すると共に、下方の孔部６６に補助片１１９を挿入する。係止片１１１の基端には、下方に開口したスリット１１５が形成されているため、支持具１００は自重により孔部６５の下縁部をスリット１１５に挿入しつつ下降し、係止片１１１が孔部６５に引掛けられた状態で、支持具１００が支柱６０に取付けられる。また、補助片１１９が孔部６６に挿入されていることにより、支柱６０に対する支持具１００の取付け強度が補強される。【０００７】
多数のケージを保持しているフレームを構成している支柱６０のうち、トラフの長さより短い距離だけ離隔している支柱６０に、同じ高さで同様に支持具１００を取付ける。支持具１００それぞれの凹部１２０と支柱６０の側壁６１との間にトラフの底部を上方から嵌め込めば、二つの支持具１００間にトラフが架け渡された状態となる。従って、支持具１００及び支柱６０によれば、ボルトやリベットのような取付け用の部材を要することなく、且つ、工具を使用することなく、トラフをケージ列に沿って設置することができる。【０００８】
このような支持構造は、隣接する支持具１００間にトラフが架け渡された後では、非常に堅固である。ところが、支柱６０においては、孔部６５に挿入された係止片１１１とのクリアランス、及び、孔部６６に挿入された補助片１１９とのクリアランスは不可避である。そのため、図９（ｃ）に矢印で示すように、支持具１００が横方向に回動してしまい、がたつきが生じることがあった。支持具１００の凹部１２０は、トラフの底部が丁度嵌め込まれる形状に形成されているため、支持具１００が傾いていると、トラフの底部を凹部１２０に嵌め込みにくい。そのため、支持具１００の姿勢の調整に手間がかかることがあり、取付け用の部材や工具の使用を要することなくトラフを設置することができる利点を、十分に発揮できない場合があった。
【発明の概要】
【発明が解決しようとする課題】
【０００９】
そこで、本発明は、上記の実情に鑑み、取付け用の部材や工具の使用を要することなくトラフを設置することができると共に、そのための作業がより容易であるトラフの支持構造、及び、該支持構造に使用される支持具の提供を、課題とするものである。
【課題を解決するための手段】
【００１０】
上記の課題を解決するため、本発明にかかるトラフの支持構造（以下、単に「支持構造」と称することがある）は、
「上下方向に立設された支柱、該支柱から前方に突出するように前記支柱に取付けられた支持具、及び、該支持具に支持されたトラフを具備する支持構造であり、
前記支柱は、
対面している一対の側壁と、
一対の該側壁を同じ側で連結している後壁と、
該後壁に貫設された孔部と、を具備し、
前記支持具は、
平板状で、その平面が上下及び前後方向に拡がっている支持具本体と、
該支持具本体から後方に向かって突出していると共に、その基端に下方に開口した第一スリットを有している第一係止片と、
前記支持具本体から前記第一係止片と直角をなす方向に突出していると共に、後方に開口した第二スリットを有している第二係止片と、
前記支持具本体の上部において上方に開口している凹部と、を具備するものであり、
前記凹部に前記トラフの底部が挿入されており、
前記孔部に前記第一係止片が挿入されていると共に、前記孔部の下縁部が前記第一スリットに挿入されており、
一対の前記側壁の一方の前端部が前記第二スリットに挿入されている」ものである。【００１１】
本構成では、第一係止片の第一スリットに孔部の下縁部が挿入されていると共に、第二係止片の第二スリットに一方の側壁の前端部が挿入されていることによって、支持具が支柱に係止されている。つまり、支持具は、直交する方向に開口している第一スリットと第二スリットとの双方で、支柱において直交する方向に延びている部分に係止されている。これにより、支柱に取付けられた状態の支持具のがたつきが、有効に防止されている。【００１２】
従って、トラフの長さより短い距離だけ離隔している二つの支柱それぞれに、同じ高さで支持具を取付ければ、がたつくことのない支持具それぞれの凹部に、トラフの底部を上方から容易に嵌め込むことができる。これにより、取付け用の部材や工具の使用を要することなく、且つ、容易な作業で、隣接する支持具間にトラフを架け渡すことができる。【００１３】
本発明にかかる支持構造は、上記構成に加え、
「前記第二係止片に、前記トラフの底部が載置されている」ものとすることができる。【００１４】
本構成では、第二係止片にトラフの底部が載置されていることにより、支持具によるトラフの支持がより安定している。つまり、本構成における第二係止片は、がたつきなく支持具を支柱に係止させる作用と、トラフを安定的に支持具に支持させる作用とを兼ねている。【００１５】
本発明にかかる支持構造は、上記構成に加え、
「前記支持具は、
前記支持具本体における前記凹部より前方で、上方に向かって延出しているアーム部と、
該アーム部の上端から、前記支持具本体の平面と直角をなす方向に延出している上端片と、を更に具備し、
該上端片に、前記トラフの前縁部が引掛けられている」ものとすることができる。【００１６】
本構成では、支持具の上部における構成である上端片にトラフの前縁部が引掛けられている。これにより、トラフに上方からかかる荷重を、支持具によってより安定して支えることができる。【００１７】
本発明にかかる支持構造は、上記構成に加え、
「前記支持具は、前記アーム部の側辺から前記支持具本体の平面と直角をなす方向に延出している側方片を更に具備し、
該側方片に、前記トラフの一部が載置されている」ものとすることができる。【００１８】
本構成では、側方片にトラフの一部が載置されていることにより、支持具によるトラフの支持がより安定している。【００１９】
次に、本発明にかかるトラフの支持具は、
「平板状で、その平面が上下及び前後方向に拡がる向きで使用される支持具本体と、
該支持具本体から後方に向かって突出していると共に、その基端に下方に開口した第一スリットを有している第一係止片と、
前記支持具本体から前記第一係止片と直角をなす方向に突出していると共に、後方に開口した第二スリットを有している第二係止片と、
トラフの底部を挿入するための凹部であって、前記支持具本体の上部において上方に開口している凹部と
を具備する」ものである。【００２０】
これは、上記の支持構造に使用される支持具の構成である。ここでの「上下」及び「前後」は、支持具が支柱に取付けられて使用される状態における上下及び前後である。
【発明の効果】
【００２１】
以上のように、本発明によれば、取付け用の部材や工具の使用を要することなくトラフを設置することができると共に、そのための作業がより容易であるトラフの支持構造、及び、該支持構造に使用される支持具を提供することができる。
【図面の簡単な説明】
【００２２】
【図１】図１は第一実施形態の支持構造の分解斜視図である。
【図２】図２（ａ）は第一実施形態において支柱に支持具が取付けられている状態を支柱の中央で切断して示す縦断面図であり、図２（ｂ）はＩＩＢ−ＩＩＢ線断面図である。
【図３】図３は第一実施形態において支柱に支持具が取付けられている状態の斜視図である。
【図４】図４は第一実施形態の支持構造の斜視図である。
【図５】図５は第二実施形態の支持構造の分解斜視図である。
【図６】図６（ａ）は第二実施形態において支柱に支持具が取付けられている状態を支柱の中央で切断して示す縦断面図であり、図６（ｂ）はＶＩＢ−ＶＩＢ線断面図である。
【図７】図７は第二実施形態において支柱に支持具が取付けられている状態の斜視図である。
【図８】図８は第二実施形態の支持構造の斜視図である。
【図９】図９（ａ）は従来の支持具と支柱の斜視図であり、図９（ｂ）は図９（ａ）の支持具が支柱に取付けられている状態を支柱の中央で切断して示す縦断面図であり、図９（ｃ）はＩＸＣ−ＩＸＣ線断面図である。
【発明を実施するための形態】
【００２３】
以下、本発明の具体的な実施形態について、図１乃至図８を用いて説明する。まず、第一実施形態の支持構造、及び、該支持構造に使用される支持具１について、図１乃至図４を用いて説明する。第一実施形態の支持構造は、支柱６０に取付けられた支持具１にトラフ５０ａが支持されているものである。
【００２４】
支柱６０は、図９（ａ）〜図９（ｃ）を用いて説明した従来技術における支柱と同じである。すなわち、支柱６０は、対面している一対の側壁６１と、一対の側壁６１を同じ側で連結している後壁６２と、後壁６２に貫設された孔部とを具備している。孔部は、支持具１一つ当たりに二つ設けられており、孔部６５と孔部６６が上下に離隔している。また、孔部６５，６６は、それぞれ後壁６２において幅方向の中央に形成されており、上下に細長い角孔である。なお、図では省略しているが、支柱６０の長さは、ケージ列が複数段に積層された全高以上であり、孔部６５と孔部６６の対の数は、ケージ列が積層される段の数に応じて設定されている。
【００２５】
支持具１が支持対象とするトラフ５０ａは、細長い長方形の底面部５１ａと、底面部５１ａの後端辺から立ち上がった後面部５２ａと、底面部５１ａの前端辺から立ち上がった前面部とを備えている。底面部５１ａは水平面であり、後面部５２ａは底面部５１ａに対して直角をなしている。一方、前面部は、底面部５１ａから直角に立ち上がった第一前面部５３ａと、第一前面部５３ａの上端辺から更に上方に向かって延出しつつ前方に向かって傾斜している第二前面部５３ｂとからなる。また、トラフ５０ａは、第二前面部５３ｂの上端に前縁部を有している。この前縁部は、第二前面部５３ｂの上端辺から上方に延出した第一前縁部５４ａと、第一前縁部５４ａの上端辺から前方に向かって直角に延出した第二前縁部５４ｂと、第二前縁部５４ｂの前端辺から下方に向かって直角に延出している第三前縁部５４ｃとからなる。なお、トラフ５０ａは、底面部５１ａの上を走行させるチェーンによって餌をフィードするチェーンフィード型である。
【００２６】
支持具１は、支持具本体１０と、第一係止片１１と、第二係止片１２と、凹部２０ａと、アーム部と、上端片３８と、補助片１９とを具備している。支持具本体１０は、平板状であり、その平面が上下及び前後方向に拡がる向きで使用されるものである。第一係止片１１は平板状であり、支持具本体１０から後方に向かって突出している。第一係止片１１は、その基端に下方に開口した第一スリット１５を有している。第一係止片１１の上下方向の長さは、孔部６５の上下方向の長さより短く設定されていると共に、第一係止片１１の厚さは、孔部６５の幅より小さく設定されている。また、第一スリット１５の幅は、支柱６０の後壁６２の厚さより僅かに大きく設定されている。
【００２７】
凹部２０ａは、支持具本体１０の上部において上方に開口している。凹部２０ａは、支持具本体１０における後部において上下に延びている第一縦辺２１と、支持具本体１０における前部において上下に延びている第二縦辺２２と、第一縦辺２１及び第二縦辺２２それぞれの下端を水平に結んでいる底辺２３とで囲まれた空間である。凹部２０ａはトラフ５０ａの底部の外形に合わせた形状であり、第二縦辺２２の長さはトラフ５０ａの第一前面部５３ａの高さにほぼ等しい。
【００２８】
第二係止片１２は平板状であり、支持具本体１０から第一係止片１１と直角をなす方向に、すなわち、支持具本体１０の平面と直角をなす方向に突出している。本実施形態の第二係止片１２は、凹部２０ａの底辺２３から延出している。第二係止片１２は、後方に開口した第二スリット１６を有しており、第二係止片１２の基端から第二スリット１６までの長さは、支柱６０の後壁６２の幅長さの二分の一にほぼ等しい。
【００２９】
アーム部は、支持具本体１０に連続する平板状であり、支持具本体１０において凹部２０ａより前方で、上方に向かって延出している。アーム部は、凹部２０ａの第二縦辺２２の上端から、前方に向かって傾斜している傾斜辺３５を有する傾斜アーム部３１と、傾斜アーム部３１の上端で上方に向かって延出している垂直アーム部３２とからなり、垂直アーム部３２の上端辺３６は水平である。ここで、傾斜辺３５が第二縦辺２２となす角度はトラフ５０ａの第二前面部５３ｂが第一前面部５３ａとなす角度とほぼ等しい。更に、垂直アーム部３２が傾斜アーム部３１の上端から上方に突出している長さは、トラフ５０ａの第一前縁部５４ａの高さとほぼ等しい。また、垂直アーム部３２の上端辺３６の前後方向の長さは、トラフ５０ａの第二前縁部５４ｂが第一前縁部５４ａの上端辺から前方に向かって延出している長さにほぼ等しい。
【００３０】
上端片３８は、垂直アーム部３２の上端辺３６から、支持具本体１０の平面と直角をなす方向に延出している。ここで、上端片３８と第二係止片１２は、共に支持具本体１０の平面と直角をなしているものであるが、ここでは、上端片３８が支持具本体１０から延出している方向と、第二係止片１２が支持具本体１０から延出している方向が同じである場合を図示している。
【００３１】
補助片１９は平板状であり、第一係止片１１の直下で、第一係止片１１と同じ方向に支持具本体１０から突出している。補助片１９の上下方向の長さは、孔部６６の上下方向の長さから第一スリット１５の長さを減算した長さより、短く設定されている。また、補助片１９の厚さは、孔部６６の幅より小さく設定されている。また、第一係止片１１と補助片１９とが離隔している距離は、孔部６５と孔部６６が離隔している距離とほぼ等しい。
【００３２】
この支持具１でトラフ５０ａを支持する際、支柱６０は、後壁６２がケージの側面と平行となり、且つ、後壁６２がケージと近接する向きで、設置面から立設させる。そして、支柱６０の孔部６５に支持具１の第一係止片１１を挿入すると共に、孔部６６に補助片１９を挿入する。支持具１では第一係止片１１と直角に第二係止片１２が延出しており、第二係止片１２は後方に開口する第二スリット１６を有している。そして、第二係止片１２の基端から第二スリット１６までの長さは、後壁６２の幅長さの二分の一にほぼ等しい。そのため、後壁６２において幅方向の中央に位置する孔部６５に第一係止片１１を挿入するのに伴い、支柱６０の側壁６１の一方の前端部が第二スリット１６に挿入される。
【００３３】
第一係止片１１の基端には、下方に開口した第一スリット１５が形成されているため、支持具１は自重により孔部６５の下縁部を第一スリット１５に挿入しつつ下降し、第一係止片１１が孔部に引掛けられた状態となる。このとき、支持具１は、第二スリット１６に側壁６１の前端部を挿入させた状態のまま、支柱６０に沿ってスライドしつつ下降する。
【００３４】
これにより、支持具１が支柱６０に取付けられた状態となる。第一係止片１１が孔部６５に挿入されていると共に、上下方向に離隔した補助片１９が孔部６６に挿入されていることにより、支柱６０に対する支持具１の取付け強度が補強されていると共に、上下方向における支持具１の姿勢が安定する。
【００３５】
加えて、支持具１は、直交する方向に開口している第一スリット１５と第二スリット１６との双方で、支柱６０において直交する方向に延びている部分、すなわち、後壁６２における孔部６５の下縁部と側壁６１とに係止されているため、支柱６０に取付けられた状態の支持具１のがたつきが防止されている。
【００３６】
多数のケージを保持しているフレームを構成している支柱６０のうち、トラフ５０ａの長さより短い距離だけ離隔している支柱６０に、同じ高さで同様に支持具１を取付ける。支持具１それぞれの凹部２０ａと支柱６０の側壁６１との間にトラフ５０ａの底部を上方から嵌め込めば、二つの支持具１間にトラフ５０ａが架け渡された状態となる。支柱６０に取付けられた状態の支持具１ががたつくことがないため、凹部２０ａと側壁６１との間に丁度嵌め込まれる形状及び大きさに形成されたトラフ５０ａの底部を、問題なく凹部２０ａに嵌め込むことができ、隣接する支柱６０間にトラフ５０ａを容易に架け渡すことができる。
【００３７】
本実施形態では、第二係止片１２が凹部２０ａの底辺２３から延出しているため、トラフ５０ａの底部を凹部２０ａと側壁６１との間に嵌め込むと、トラフ５０ａの底面部５１ａが第二係止片１２に載置される。これにより、支持具１が下方からトラフ５０ａを支持する状態がより安定する。つまり、支持具１の第二係止片１２は、がたつきなく支持具１を支柱６０に係止させる作用と、トラフ５０ａを安定的に支持具１に支持させる作用とを兼ねている。
【００３８】
また、傾斜アーム部３１における長さ及び角度の設定が、上述したようにトラフ５０ａに合わせたものであるため、凹部２０ａと側壁６１との間にトラフ５０ａの底部を嵌め込むと、トラフ５０ａの第二前面部５３ｂが支持具１の傾斜辺３５に当接する。これにより、支持具１が下方からトラフ５０ａを支持する状態が更に安定する。
【００３９】
加えて、垂直アーム部３２及び上端片３８における長さ及び角度の設定が、上述したようにトラフ５０ａに合わせたものであるため、凹部２０ａと側壁６１との間にトラフ５０ａの底部を嵌め込むのと同時に、トラフ５０ａの前縁部が上端片３８に引掛けられた状態となると共に、第二前縁部５４ｂが上端片３８に当接する。これにより、トラフ５０ａに上方からかかる荷重を支持具１によって支える状態がより安定する。
【００４０】
次に、第二実施形態の支持構造、及び、該支持構造に使用される支持具２について、図５乃至図８を用いて説明する。第二実施形態の支持構造は、支柱６０に取付けられた支持具２にトラフ５０ｅが支持されているものである。支柱６０は、第一実施形態と共通である。支持具２及びトラフ５０ｅについても、第一実施形態と同様の構成については同一の符号を付し、詳細な説明は省略する。
【００４１】
トラフ５０ｅがトラフ５０ａと相違する点は、底面部５１ｅ、後面部、及び前面部５３ｅの形状である。トラフ５０ａの底面部５１ａが水平面であったのに対し、トラフ５０ｅの底面部５１ｅは、長手方向に直交する断面がＶ字形である。後面部は、底面部５１ｅの後端辺から上方に延出しつつ後方に傾斜している第一後面部５２ｅと、第一後面部５２ｅの上端辺から上方に延出している第二後面部５２ｆとからなる。前面部５３ｅは、底面部５１ｅの前端辺から上方に延出しつつ前方に向かって傾斜している。また、トラフ５０ｅは、前面部５３ｅの上端に前縁部を有しているが、この前縁部はトラフ５０ｅにおける前縁部（第一前縁部５４ａ、第二前縁部５４ｂ、第三前縁部５４ｃ）と同様の構成である。なお、トラフ５０ｅは、底面部５１ｅの形状に対応しているＶ字形の先端部を有するスクレーパの摺動により餌をフィードするレベルフィード型である。
【００４２】
支持具２が支持具１と相違する点は、主に、第二係止片１２の位置と、凹部２０ｅの形状と、側方片４０を有している点である。凹部２０ｅは、第一底辺２５、第二底辺２６、及び後部傾斜辺２７によって囲まれた空間である。第一底辺２５及び第二底辺２６は、トラフ５０ｅの底面部５１ｅの断面形状であるＶ字形とほぼ等しいＶ字形をなしている。後部傾斜辺２７は、第一底辺２５の後端から上方に向かって延出しつつ後方に向かって傾斜している。後部傾斜辺２７が傾斜している角度は、トラフ５０ｅの第一後面部５２ｅの角度とほぼ等しい。
【００４３】
支持具１の第二係止片１２は凹部２０ｅの底辺から延出していたのに対し、支持具２の第二係止片１２は、支持具本体１０における凹部２０ｅより後方の部分の上端辺から延出している。支持具本体１０に対する位置を除けば、支持具２の第二係止片１２と支持具１の第二係止片１２とは同一の構成である。
【００４４】
支持具２のアーム部は、支持具１のアーム部と同様に傾斜辺３５を有する傾斜アーム部３１と、傾斜アーム部３１の上端で上方に向かって延出している垂直アーム部３２とからなるが、支持具１では第二縦辺２２の上端から傾斜辺３５が延出していたのに対し、支持具２では第二底辺２６の上端から傾斜辺３５が延出している点で相違する。垂直アーム部３２については、第一実施形態と同様である。また、垂直アーム部３２の上端に設けられた上端片３８も、第一実施形態と同様である。
【００４５】
側方片４０は平板状であり、傾斜辺３５から支持具本体１０の平面と直角をなす方向に延出している。支持具２における傾斜辺３５の角度は、トラフ５０ｅにおける前面部５３ｅの角度とほぼ同一である。
【００４６】
このような構成の支持具２であっても、第一係止片１１を支柱６０の孔部６５に挿入した際に、第一スリット１５に孔部６５の下縁部が挿入されると共に、第二係止片１２の第二スリット１６に一方の側壁６１の前端部が挿入される。これにより、第一実施形態と同様に、支柱６０に取付けられた支持具２のがたつきが防止される。
【００４７】
第一実施形態では、がたつきなく支持具２を支柱６０に係止させる作用と、トラフ５０ｅを載置する作用とを第二係止片１２が兼ねていたのに対し、第二実施形態では、トラフ５０ｅを載置する作用は側方片４０が発揮している。すなわち、支持具２の凹部２０ｅの断面形状におけるＶ字形は、トラフ５０ｅの底面部５１ｅの断面形状であるＶ字形とほぼ等しく、支持具２における傾斜辺３５の角度は、トラフ５０ｅにおける前面部５３ｅの角度とほぼ同一であるため、トラフ５０ｅの底部を凹部２０ｅに嵌め込むと、トラフ５０ｅの前面部５３ｅが支持具２の傾斜辺３５に当接すると共に、傾斜辺３５から延出している側方片４０に前面部５３ｅが載置される。同時に、トラフ５０ｅの第一後面部５２ｅが、傾斜角度の等しい支持具２の後部傾斜辺２７に載置される。
【００４８】
なお、支持具２の凹部２０ｅにトラフ５０ｅの底部を嵌め込むのと同時に、トラフ５０ｅの前縁部が上端片３８に引掛けられた状態となると共に、第二前縁部５４ｂが上端片３８に当接することは、第一実施形態と同様である。
【００４９】
以上のように、第一実施形態及び第二実施形態の支持構造によれば、支持具１，２は、直交する方向に開口している第一スリット１５と第二スリット１６との双方で、支柱６０において直交する方向に延びている部分に係止されている。そのため、支柱６０に取付けられた状態の支持具１，２のがたつきが防止されており、隣接する支柱６０間にトラフ５０ａ，５０ｅを架け渡す作業を容易に行うことができる。
【００５０】
また、トラフの底部を凹部に嵌め込んだ際、第一実施形態ではトラフ５０ａの底面部が支持具１の第二係止片１２に載置され、第二実施形態ではトラフ５０ｅの前面部５３ｅが支持具２の側方片４０に載置されるため、支持具によるトラフの支持が安定したものとなっている。
【００５１】
更に、第一実施形態及び第二実施形態の何れにおいても、支持具の凹部にトラフの底部を嵌め込むのと同時に、トラフの前縁部が上端片３８に引掛けられた状態となると共に、第二前縁部５４ｂが上端片３８に当接するため、支持具によるトラフの支持がより安定したものとなっている。
【００５２】
以上、本発明について好適な実施形態を挙げて説明したが、本発明は上記の実施形態に限定されるものではなく、本発明の要旨を逸脱しない範囲において、種々の改良及び設計の変更が可能である。
【００５３】
例えば、上記の実施形態では、共に支持具本体１０の平面と直角をなしている上端片３８と第二係止片１２が、支持具本体１０に対して同一方向に延出している場合を例示した。これに限定されず、上端片３８と第二係止片１２が支持具本体１０に対して反対方向に延出している構成としても、同様の作用効果が発揮される。
【００５４】
また、上記では、第二係止片１２でトラフ５０ａを載置する支持具１と、側方片４０でトラフ５０ｅを載置する支持具２を例示した。これに限定されず、支持具を、第二係止片及び側方片の双方でトラフを載置する構成とすることができる。
【図１】
2020035891.tif 000003
【図２】
2020035891.tif 000004
【図３】
2020035891.tif 000005
【図４】
2020035891.tif 000006
【図５】
2020035891.tif 000007
【図６】
2020035891.tif 000008
【図７】
2020035891.tif 000009
【図８】
2020035891.tif 000010
【図９】
2020035891.tif 000011
【国際調査報告】
2020035891.tif 000012
2020035891.tif 000013
2020035891.tif 000014